(57)【要約】【課題】かさばらないようにすることができると共に、他の荷物と共に容易に持ち運ぶことができるポータブル寝具を提供する。【解決手段】一実施形態に係るポータブル寝具は、持ち運ばれて使用されるポータブル寝具１０である。ポータブル寝具１０は、スーツケース１の内部に収容されるポータブルマットレス１０Ａ及びポータブルピロー１０Ｂと、ポータブルマットレス１０Ａ及びポータブルピロー１０Ｂのそれぞれに固定されており、スーツケース１の内面に貼り付けられる貼り付け部と、を備え、ポータブルマットレス１０Ａ及びポータブルピロー１０Ｂは、貼り付け部によって当該内面に沿うように当該内面に貼り付けられる。【選択図】図２
2019042364.tif 000002
【特許請求の範囲】
【請求項１】
持ち運ばれて使用されるポータブル寝具であって、
スーツケースの内部に収容される寝具本体と、
前記寝具本体に固定されており、前記スーツケースの内面に貼り付けられる貼り付け部と、
を備え、
前記寝具本体は、前記貼り付け部によって前記内面に沿うように前記内面に貼り付けられる、
ポータブル寝具。
【請求項２】
前記寝具本体は、前記スーツケースの内面に沿って前記寝具本体を折り曲げる折り曲げ部を有する、
請求項１に記載のポータブル寝具。
【請求項３】
前記スーツケースは、複数の前記内面を有し、
前記寝具本体の一部及び残部が複数の前記内面のそれぞれに貼り付けられ、
前記寝具本体は、前記一部及び残部が互いに貼り付けられることによって形成される、
請求項１又は２に記載のポータブル寝具。
【請求項４】
前記寝具本体は、鉛直上方に向けられる凹凸部を有し、
前記寝具本体は、前記凹凸部が前記スーツケースの内側を向いた状態で前記内面に貼り付けられる、
請求項１〜３のいずれか一項に記載のポータブル寝具。
【発明の詳細な説明】
【技術分野】
【０００１】
本発明は、持ち運ばれて使用されるポータブル寝具に関する。
【背景技術】
【０００２】
旅行等のときに持ち運ばれるポータブル寝具については、従来から種々のものが知られている。ポータブル寝具の一種として、例えば、ホテル等の宿泊施設の寝具が合わないとき、又は好みの寝具を使用したいとき等に持ち運びされるポータブルマットレスがある。ポータブルマットレスは、スポーツ選手の遠征時等にも持ち運びされる。このように、ポータブル寝具は、旅行又は遠征時等に持ち運ばれて使用される。
【０００３】
実用新案登録第３１２７２０４号公報には、折り畳み式マットレスが記載されている。折り畳み式マットレスは、長方形状に延びるマットレス本体と、マットレス本体の外縁に設けられるヘムテープとを備える。マットレス本体は、マットレス本体の幅方向に延びる複数の縫着部を有し、各縫着部を境目として折り畳み可能とされている。マットレス本体には吊り下げ具が固定されており、折り畳まれたマットレス本体は、吊り下げ具を持ち上げることによって持ち運び可能とされる。
【０００４】
実用新案登録第３１３０１９８号公報には、持ち運びされると共に床ずれを防止するマットセットが記載されている。マットセットは、複数の防水袋、吸水性ポリマー及びカバー袋を含むマットクッションを備える。複数の防水袋、吸水性ポリマー及びカバー袋のそれぞれは携帯ケースの内部に収納されて持ち運びされる。
【先行技術文献】
【特許文献】
【０００５】
【特許文献１】実用新案登録第３１２７２０４号公報
【特許文献２】実用新案登録第３１３０１９８号公報
【発明の概要】
【発明が解決しようとする課題】
【０００６】
前述した折り畳み式マットレスは、折り畳んで吊り下げ具を持ち上げることによって持ち運びされる。また、前述のマットセットは、マットクッションの各部が携帯ケースに収納されて持ち運びされる。この折り畳み式マットレス及びマットセットのようなポータブル寝具は、持ち運びは可能であるもののポータブル寝具そのものが荷物となる。
【０００７】
前述したポータブル寝具は、寝具が折り畳まれるものであったり、携帯ケースに収納されたりするものであるが、荷物として持ち運ぶときにかさばるという問題がある。すなわち、これらのポータブル寝具は、通常の荷物とは別に持ち運ばれるものであるため、荷物の数が多くなり煩わしいという問題がある。
【０００８】
また、前述したマットセットは、単に携帯ケースに収納されるものである。このため、携帯ケースの内部空間のうち、マットクッションが占める割合が大きいので、他の荷物を携帯ケースに入れるのは困難である。よって、他の荷物を持ち運ぶためには携帯ケース以外のケースを使用しなければならないため、結局荷物の数が多くなり煩わしいという問題が生じうる。このように、従来のポータブル寝具は、かさばるものであると共に他の荷物と併せて持ち運ぶことが困難であるため、せっかく購入しても使われなくなることが多いという現状がある。
【０００９】
本発明は、前述した問題に鑑みてなされたものであり、かさばらないようにすることができると共に、他の荷物と共に容易に持ち運ぶことができるポータブル寝具を提供することを目的とする。
【課題を解決するための手段】
【００１０】
本発明に係るポータブル寝具は、持ち運ばれて使用されるポータブル寝具であって、スーツケースの内部に収容される寝具本体と、寝具本体に固定されており、スーツケースの内面に貼り付けられる貼り付け部と、を備え、寝具本体は、貼り付け部によって内面に沿うように内面に貼り付けられる。
【００１１】
このポータブル寝具では、寝具本体に貼り付け部が固定されており、貼り付け部をスーツケースの内面に貼り付けることによって寝具本体が当該内面に沿うように配置される。従って、寝具本体がスーツケースの内面に貼り付けられることによって寝具本体をスーツケースの内部に固定することができる。従って、スーツケースに収容されたポータブル寝具を持ち運びすることができるので、荷物の数が多くなることを抑制することができる。また、ポータブル寝具は、寝具本体が貼り付け部を介してスーツケースの内面に貼り付けられた状態で持ち運ばれるため、持ち運びのときに寝具本体がスーツケースの内部でばたつく事態を抑制することができる。更に、寝具本体はスーツケースの内面に沿うように当該内面に貼り付けられるので、内面に沿って貼り付けられた寝具本体の内側に他の荷物を収容することができる。従って、スーツケースの内面に沿って貼り付けられた寝具本体の内側に他の荷物を収容することができるので、ポータブル寝具を他の荷物と共に容易に持ち運ぶことができる。更に、スーツケースの内部において、他の荷物の外側に寝具本体が貼り付けられているため、寝具本体をクッション材として機能させることができる。
【００１２】
また、寝具本体は、スーツケースの内面に沿って寝具本体を折り曲げる折り曲げ部を有してもよい。この場合、スーツケースの２つ以上の内面に沿って寝具本体を折り曲げて貼り付けることができる。従って、寝具本体を折り曲げ部を介して折り曲げて貼り付けることにより、より大きな寝具本体を２つ以上の内面に沿って効率よく貼り付けることができる。よって、ポータブル寝具の携帯性を高めることができる。
【００１３】
また、スーツケースは、複数の内面を有し、寝具本体の一部及び残部が複数の内面のそれぞれに貼り付けられ、寝具本体は、当該一部及び残部が互いに貼り付けられることによって形成されてもよい。この場合、スーツケースの複数の内面のそれぞれに貼り付けられる寝具本体の一部及び残部を備え、一部及び残部を合体させることによって寝具本体が形成される。従って、一部及び残部を組み合わせて大型の寝具本体を形成することができるので、ポータブル寝具の携帯性をより高めることができる。
【００１４】
また、寝具本体は、鉛直上方に向けられる凹凸部を有し、寝具本体は、凹凸部がスーツケースの内側を向いた状態で内面に貼り付けられてもよい。この場合、凹凸部がスーツケースの内側を向くように寝具本体が貼り付けられる。よって、寝具本体の内側に収容された他の荷物に対し、寝具本体のクッション性を高めることができる。従って、当該他の荷物がスーツケースの内部でばたついたとしても、その衝撃をクッション性が高い凹凸部によって確実に和らげることができるので、他の荷物が破損する問題をより確実に抑制することができる。
【発明の効果】
【００１５】
本発明によれば、かさばらないようにすることができると共に、他の荷物と共に容易に持ち運ぶことができる。
【図面の簡単な説明】
【００１６】
【図１】実施形態に係るポータブル寝具を備えたスーツケースの例を示す斜視図である。
【図２】図１のスーツケースを開いた状態及びポータブル寝具を示す斜視図である。
【図３】図２のポータブル寝具のポータブルマットレスとスーツケースを示す断面図である。
【図４】図３のポータブルマットレスを拡げた状態を示す斜視図である。
【図５】図３のポータブルマットレスの折り曲げ部を拡大した断面図である。
【図６】図３のポータブルマットレスを示す底面図である。
【図７】（ａ）及び（ｂ）は、図２のポータブル寝具のポータブルピローを組み立てる手順を示す図である。
【発明を実施するための形態】
【００１７】
以下では、図面を参照しながら本発明に係るポータブル寝具の実施形態について説明する。図面の説明において、同一又は相当する要素には同一の符号を付し重複する説明を適宜省略する。また、図面は、理解を容易にするため一部を誇張して描いており、寸法等は図面に記載のものに限定されない。
【００１８】
本明細書において、「ポータブル寝具」とは、持ち運びが可能な寝具を示しており、例えば、旅行、出張又は遠征のときに持ち運ばれる寝具を含む。「寝具」とは、寝具の使用者が身体を休めたり睡眠をとったりするときに使用者の身体に当てられるものであり、典型的には、マットレス、枕、布団、座布団又はクッションである。「寝具本体」とは、寝具の機能を発揮する寝具の本体部分を示しており、例えば、後述する「貼り付け部」以外の部分である。「貼り付け部」とは、寝具本体を寝具本体以外のものに貼り付ける部位を示している。
【００１９】
図１及び図２に示されるように、本実施形態に係るポータブル寝具１０は、スーツケース１の内部に貼り付けられて持ち運ばれる。ポータブル寝具１０は、スーツケース１の内面に沿うように貼り付けられるので、スーツケース１には、通常の荷物（ポータブル寝具１０以外の荷物）を収容することが可能である。ポータブル寝具１０は、例えば、スポーツ選手が遠征に行くときに用いられる寝具であってもよいし、宿泊施設の寝具が合わない旅行者によって旅行に行くときに持ち運ばれる寝具であってもよい。また、ポータブル寝具１０は、労働者が出張に行くときに持ち運ばれる寝具であってもよい。
【００２０】
まず、スーツケース１について説明する。スーツケース１は、例えば、高さ方向Ｄ１、厚さ方向Ｄ２、及び幅方向Ｄ３に延びる直方体状を成している。一例として、スーツケース１の高さ（高さ方向Ｄ１の長さ）は８０ｃｍ以上且つ１１０ｃｍ以下であり、スーツケース１の厚さ（厚さ方向Ｄ２の長さ）は２５ｃｍ以上且つ６０ｃｍ以下であり、スーツケース１の幅（幅方向Ｄ３の長さ）は、４０ｃｍ以上且つ８０ｃｍ以下である。
【００２１】
スーツケース１の下部には、スーツケース１をスムーズに移動させるための複数（例えば４個）のキャスタ２が設けられる。スーツケース１は、キャスタ２が設けられる下面１ａと、下面１ａの反対側を向く上面１ｂと、下面１ａ及び上面１ｂに交差する方向に向けられる第１側面１ｃ及び第２側面１ｄとを有する。
【００２２】
上面１ｂには、スーツケース１を把持するための第１取っ手３が設けられている。第１側面１ｃ及び第２側面１ｄは、スーツケース１の表裏に一対に設けられる。第１側面１ｃは、高さ方向Ｄ１及び幅方向Ｄ３に延びるスーツケース１の最も広い面である。一対の第２側面１ｄのうちの一方には、横に傾けたスーツケース１を把持するための第２取っ手４が設けられている。また、下面１ａ、一方の第２側面１ｄ及び上面１ｂには、ファスナーを含む開閉部５がスーツケース１の外周に沿って延びており、開閉部５のファスナーを開放することによってスーツケース１を開くことが可能である。
【００２３】
図２は、スーツケース１を開いた状態を示す斜視図である。図２に示されるように、スーツケース１は、下面１ａ、一方の第２側面１ｄ及び上面１ｂの開閉部５を境目として２つに開くことが可能である。スーツケース１は、開かれた状態において２つの凹部６を形成し、各凹部６に旅行用、遠征用又は出張用の荷物（衣類、生活用品、飲食物、書類又は書籍等）が収容される。
【００２４】
図２及び図３に示されるように、各凹部６は、下面１ａに対向する第１内面６ａと、上面１ｂに対向する第２内面６ｂと、第１側面１ｃに対向する底面となる第３内面６ｃと、第２側面１ｄに対向する第４内面６ｄ及び第５内面６ｅとによって形成される。第４内面６ｄは幅方向Ｄ３の両端側に位置し、第５内面６ｅは幅方向Ｄ３の中央側に位置する。また、第１内面６ａ、第２内面６ｂ、第３内面６ｃ、第４内面６ｄ及び第５内面６ｅは、スーツケース１に収容される荷物を傷めないように、布製とされている。
【００２５】
スーツケース１が開かれた状態において、第４内面６ｄ、第３内面６ｃ及び第５内面６ｅは幅方向Ｄ３に沿って並ぶように配置され、第１内面６ａ、第３内面６ｃ及び第２内面６ｂは高さ方向Ｄ１に沿って並ぶように配置される。第４内面６ｄ、第３内面６ｃ及び第５内面６ｅには、２つの凹部６を連結する下布７が敷かれている。下布７には、ポータブル寝具１０を第４内面６ｄ、第３内面６ｃ及び第５内面６ｅに貼り付ける複数の貼り付け部８が固定されている。貼り付け部８は、面ファスナーであるが、ポータブル寝具１０を貼り付け可能なものであれば、例えばボタン等、面ファスナー以外のものを用いることも可能である。
【００２６】
貼り付け部８は、例えば、各第４内面６ｄの上部、各第３内面６ｃの幅方向Ｄ３の中央、及び各第５内面６ｅの上部、のそれぞれに固定されている。ポータブル寝具１０は、貼り付け部８に接合される貼り付け部１１（図６参照）を備える。貼り付け部１１は、貼り付け部８と同様、面ファスナーであるが、例えばボタン等、面ファスナー以外のものであってもよい。
【００２７】
ポータブル寝具１０は、例えば、ポータブルマットレス１０Ａ（寝具本体）と、ポータブルピロー１０Ｂ（寝具本体）とを含む。ポータブルマットレス１０Ａ及びポータブルピロー１０Ｂのそれぞれには貼り付け部１１が固定されている。貼り付け部１１が貼り付け部８に貼り付けられることにより、ポータブルマットレス１０Ａ及びポータブルピロー１０Ｂは第１内面６ａ、第３内面６ｃ、第４内面６ｄ及び第５内面６ｅに貼り付け可能となる。
【００２８】
一例として、ポータブルマットレス１０Ａは、スーツケース１の一方の凹部６の第４内面６ｄ、第３内面６ｃ及び第５内面６ｅ、並びに、他方の凹部６の第５内面６ｅ、第３内面６ｃ及び第４内面６ｄのそれぞれに沿うように貼り付けられる。ポータブルピロー１０Ｂは、持ち運ばれるときには２分割されている。ポータブルピロー１０Ｂの一部１０Ｃは一方の凹部６の第１内面６ａに沿うように貼り付けられ、ポータブルピロー１０Ｂの残部１０Ｄは他方の凹部６の第１内面６ａに沿うように貼り付けられる。なお、一部１０Ｃ及び残部１０Ｄは第２内面６ｂに沿うように貼り付けられてもよい。
【００２９】
ポータブルマットレス１０Ａ及びポータブルピロー１０Ｂは、貼り付け部１１，８を介して第１内面６ａ、第３内面６ｃ、第４内面６ｄ及び第５内面６ｅに貼り付けられており、内面６ａ，６ｃ，６ｄ，６ｅに対して着脱自在である。すなわち、ポータブルマットレス１０Ａ及びポータブルピロー１０Ｂの使用時には、各貼り付け部８から各貼り付け部１１を剥がして、ポータブルマットレス１０Ａ及びポータブルピロー１０Ｂを各凹部６から取り出すことによって使用可能である。
【００３０】
図４に示されるように、ポータブルマットレス１０Ａは、各凹部６から取り出された後に開かれて使用される。ポータブルマットレス１０Ａは、長手方向Ａ１及び幅方向Ａ２に延びる長方形状とされ、厚さ方向Ａ３に例えば５ｃｍ以上且つ１５ｃｍ以下の厚さを有する。ポータブルマットレス１０Ａがスーツケース１の内部に収容されるときに、長手方向Ａ１はスーツケース１の幅方向Ｄ３に一致し、幅方向Ａ２はスーツケース１の高さ方向Ｄ１に一致し、厚さ方向Ａ３はスーツケース１の各内面６ｃ，６ｄ，６ｅに交差（直交）する方向に一致する。ポータブルマットレス１０Ａは、第４内面６ｄに対向する第１の部分１２と、各第３内面６ｃに対向する第２の部分１３と、各第５内面６ｅに対向する第３の部分１４と、２つの凹部６の連結部分に位置する第４の部分１５と、を備える。
【００３１】
第１の部分１２、第２の部分１３及び第３の部分１４は、第４の部分１５に対して互いに対称となるように一対に配置される。また、第１の部分１２と第２の部分１３の境目部分、第２の部分１３と第３の部分１４の境目部分、及び第３の部分１４と第４の部分１５の境目部分、のそれぞれには折り曲げ部１６が設けられている。各折り曲げ部１６は、例えば、幅方向Ａ２に沿って直線状に延びている。
【００３２】
ポータブルマットレス１０Ａは、柔軟性が高い素材によって構成されているため、折り曲げ部１６に沿って容易に折り曲げることが可能である。また、図５に示されるように、折り曲げ部１６は、ポータブルマットレス１０Ａの他の部分よりも薄く形成されているため、スーツケース１の各内面６ｃ，６ｄ，６ｅに沿ってポータブルマットレス１０Ａを容易に折り曲げることが可能である。また、折り曲げ部１６は、ポータブルマットレス１０Ａを厚さ方向Ａ３に切り込むスリット状に形成されているため、この折り曲げ部１６が設けられることにより、ポータブルマットレス１０Ａの通気性を高めることができると共に、体圧分散性を高めることができる。
【００３３】
ポータブルマットレス１０Ａは、鉛直上方に向けられる凹凸部１７を有する。凹凸部１７は、ポータブルマットレス１０Ａの鉛直上方において波形形状を成していてもよい。凹凸部１７は、例えば、長手方向Ａ１に沿って並設されている。凹凸部１７の複数の波形形状が幅方向Ａ２に沿って並設されている。なお、凹凸部１７の形状は、長手方向Ａ１に沿って並設される形状に限定されず、長手方向Ａ１及び幅方向Ａ２に二次元的に延びていてもよい。このように、鉛直上方に向けられる凹凸部１７を備えることにより、ポータブルマットレス１０Ａの使用時に凹凸部１７に使用者の身体が乗せられる場合に、凹凸部１７によって体圧を分散しやすくすることができる。
【００３４】
図６は、ポータブルマットレス１０Ａの底面図である。図６に示されるように、ポータブルマットレス１０Ａには、１２個の貼り付け部１１が固定されている。各貼り付け部１１は、ポータブルマットレス１０Ａの長辺に沿って配置される。貼り付け部１１は、例えば、ポータブルマットレス１０Ａの四角（すなわち各第１の部分１２の長手方向Ａ１の端部）、各第２の部分１３の長手方向Ａ１の中央、及び、各第３の部分１４の長手方向Ａ１中央側のそれぞれに配置されている。このように、貼り付け部１１がポータブルマットレス１０Ａの長辺に沿って配置されることにより、スーツケース１の各内面６ｃ，６ｄ，６ｅに沿うように確実にポータブルマットレス１０Ａを貼り付けることができる。
【００３５】
図７（ａ）及び図７（ｂ）は、ポータブルピロー１０Ｂを示す図である。図２、図７（ａ）及び図７（ｂ）に示されるように、ポータブルピロー１０Ｂの一部１０Ｃ及び残部１０Ｄのそれぞれは、各第１内面６ａに着脱自在に貼り付けられる。一部１０Ｃ及び残部１０Ｄのそれぞれは、一方向に長く延びる直方体状とされており、共に柔軟性が高い素材によって形成されている。
【００３６】
一部１０Ｃ及び残部１０Ｄには貼り付け部１１が固定されており、各貼り付け部１１は、一部１０Ｃ及び残部１０Ｄの長手方向の端部に固定されている。ポータブルピロー１０Ｂの使用時には、一部１０Ｃ及び残部１０Ｄを各第１内面６ａから取り外し、一部１０Ｃの貼り付け部１１と残部１０Ｄの貼り付け部１１とを互いに貼り合わせることにより、ポータブルピロー１０Ｂが形成される。このように、ポータブルピロー１０Ｂは、一部１０Ｃ及び残部１０Ｄが組み合わされて形成される。よって、持ち運び時にはコンパクトに収容することができると共に、使用時には厚みを持たせたポータブルピロー１０Ｂとすることができる。
【００３７】
次に、本実施形態に係るポータブル寝具１０の作用効果についてより詳細に説明する。ポータブル寝具１０では、ポータブルマットレス１０Ａ及びポータブルピロー１０Ｂのそれぞれに貼り付け部１１が固定されており、貼り付け部１１をスーツケース１の内面６ａ，６ｃ，６ｄ，６ｅに貼り付けることによってポータブルマットレス１０Ａ及びポータブルピロー１０Ｂをスーツケース１の内部に固定することができる。
【００３８】
従って、スーツケース１の内部に固定されたポータブル寝具１０を持ち運びすることができるので、荷物の数が多くなることを抑制することができる。また、図２及び図３に示されるように、ポータブル寝具１０は、ポータブルマットレス１０Ａ及びポータブルピロー１０Ｂが貼り付け部１１，８を介してスーツケース１の内面６ａ，６ｃ，６ｄ，６ｅに貼り付けられた状態で持ち運ばれる。よって、持ち運びのときにポータブルマットレス１０Ａ及びポータブルピロー１０Ｂがばたつく事態を抑制することができる。
【００３９】
更に、ポータブルマットレス１０Ａ及びポータブルピロー１０Ｂはスーツケース１の内面６ａ，６ｃ，６ｄ，６ｅに沿うように内面６ａ，６ｃ，６ｄ，６ｅに貼り付けられるので、内面６ａ，６ｃ，６ｄ，６ｅに沿って貼り付けられたポータブルマットレス１０Ａ及びポータブルピロー１０Ｂの内側に他の荷物を収容することができる。
【００４０】
従って、スーツケース１の内面６ａ，６ｃ，６ｄ，６ｅに沿って貼り付けられたポータブルマットレス１０Ａ及びポータブルピロー１０Ｂの内側に他の荷物を収容することができるので、ポータブル寝具１０を他の荷物と共に容易に持ち運ぶことができる。更に、スーツケース１の内部において、他の荷物の外側にポータブルマットレス１０Ａ及びポータブルピロー１０Ｂが貼り付けられているため、ポータブルマットレス１０Ａ及びポータブルピロー１０Ｂを他の荷物に対するクッション材として機能させることができる。その結果、他の荷物の破損を抑制できる効果も得られる。
【００４１】
また、図４に示されるように、ポータブルマットレス１０Ａは、スーツケース１の内面６ｃ，６ｄ，６ｅに沿って折り曲げられる折り曲げ部１６を有する。よって、スーツケース１の２つ以上の内面６ｃ，６ｄ，６ｅに沿ってポータブルマットレス１０Ａを折り曲げて貼り付けることができる。従って、ポータブルマットレス１０Ａを折り曲げ部１６を介して折り曲げて貼り付けることにより、大きなポータブルマットレス１０Ａを２つ以上の内面６ｃ，６ｄ，６ｅに沿って効率よく貼り付けることができる。よって、ポータブル寝具１０の携帯性を高めることができる。
【００４２】
また、図２、図７（ａ）及び図７（ｂ）に示されるように、スーツケース１は、複数の内面６ａを有し、ポータブルピロー１０Ｂの一部１０Ｃ及び残部１０Ｄが複数の内面６ａのそれぞれに貼り付けられ、ポータブルピロー１０Ｂは、一部１０Ｃ及び残部１０Ｄが互いに貼り付けられることによって形成される。すなわち、スーツケース１の複数の内面６ａのそれぞれに貼り付けられるポータブルピロー１０Ｂの一部１０Ｃ及び残部１０Ｄを備え、一部１０Ｃ及び残部１０Ｄを合体させることによってポータブルピロー１０Ｂが形成される。従って、一部１０Ｃ及び残部１０Ｄを組み合わせて大型のポータブルピロー１０Ｂを形成することができるので、ポータブル寝具１０の携帯性をより高めることができる。
【００４３】
また、図３に示されるように、ポータブルマットレス１０Ａは、鉛直上方に向けられる凹凸部１７を有し、ポータブルマットレス１０Ａは、凹凸部１７がスーツケース１の内側を向いた状態で内面６ｃ，６ｄ，６ｅに貼り付けられる。すなわち、凹凸部１７がスーツケース１の内側を向くようにポータブルマットレス１０Ａが貼り付けられる。よって、ポータブルマットレス１０Ａの内側に収容された他の荷物に対し、ポータブルマットレス１０Ａのクッション性を高めることができる。従って、当該他の荷物がスーツケース１の内部でばたついたとしても、その衝撃をクッション性が高い凹凸部１７によって確実に和らげることができるので、他の荷物が破損する問題をより確実に抑制することができる。
【００４４】
以上、本発明に係るポータブル寝具の実施形態について説明したが、本発明は、前述した実施形態に限定されるものではなく、各請求項に記載した要旨を変更しない範囲において変形してもよい。すなわち、本発明に係るポータブル寝具の構成は、上記の要旨を変更しない範囲において種々の変形が可能である。
【００４５】
例えば、前述の実施形態では、複数の折り曲げ部１６を有すると共に、鉛直上方に向けられる凹凸部１７を備えたポータブルマットレス１０Ａについて説明した。しかしながら、折り曲げ部の形状、大きさ、材料、数及び配置態様は適宜変更可能である。また、凹凸部の形状、大きさ及び配置態様は適宜変更可能である。更に、凹凸部を省略することも可能である。
【００４６】
また、前述の実施形態では、各内面６ａに貼り付けられる一部１０Ｃ及び残部１０Ｄを備えたポータブルピロー１０Ｂについて説明したが、ポータブルピロー１０Ｂの形状、大きさ及び材料は適宜変更可能である。更に、ポータブルピローが備える一部及び残部の数は３つ以上であってもよいし、一体のポータブルピローであってもよい。また、このように分割される寝具本体の種類は、ポータブルピローに限られず、マットレス、布団又はクッションが分割されて各内面に貼り付けられてもよい。
【００４７】
また、前述の実施形態では、内面６ｃ，６ｄ，６ｅに沿って貼り付けられるポータブルマットレス１０Ａについて説明したが、ポータブルマットレス１０Ａの形状、大きさ及び材料は適宜変更可能である。更に、スーツケースの内面に沿って貼り付けられる寝具本体の配置態様は適宜変更可能である。例えば、寝具本体は、スーツケースの内面に沿うと共に１回以上折り返された状態で当該内面に貼り付けられてもよい。この場合、より大型の寝具本体であってもかさばることなくスーツケースの内部に収容できる。更に、複数の寝具本体が重ねられた状態で当該内面に貼り付けられてもよい。
【００４８】
また、前述の実施形態では、ポータブルマットレス１０Ａ及びポータブルピロー１０Ｂを含むポータブル寝具１０について説明した。しかしながら、ポータブル寝具の寝具本体の種類は、マットレス及び枕に限られず適宜変更可能である。例えば、ポータブル寝具の寝具本体は、布団、カバー、座布団又はクッションであってもよい。
【００４９】
また、前述の実施形態では、第４内面６ｄの上部、第３内面６ｃの幅方向Ｄ３の中央及び第５内面６ｅの上部、のそれぞれに固定されている貼り付け部８について説明した。しかしながら、貼り付け部８の配置態様、形状、大きさ及び数は適宜変更可能である。貼り付け部１１についても同様である。
【００５０】
また、前述の実施形態では、２つの凹部６を有し、２つの凹部６が下布７を介して連結されるスーツケース１について説明した。しかしながら、凹部の形状、大きさ、数及び配置態様は適宜変更可能である。また、複数の凹部を連結する構造についても適宜変更可能である。
【００５１】
また、前述の実施形態では、キャスタ２、第１取っ手３、第２取っ手４及び開閉部５を備えるスーツケース１について説明した。しかしながら、スーツケースの形状及び大きさ、並びに、キャスタ、取っ手及び開閉部の形状、大きさ、数、材料及び配置位置は、適宜変更可能である。
【符号の説明】
【００５２】
１…スーツケース、１ａ…下面、１ｂ…上面、１ｃ…第１側面、１ｄ…第２側面、２…キャスタ、３…第１取っ手、４…第２取っ手、５…開閉部、６…凹部、６ａ…第１内面（内面）、６ｂ…第２内面（内面）、６ｃ…第３内面（内面）、６ｄ…第４内面（内面）、６ｅ…第５内面（内面）、７…下布、８，１１…貼り付け部、１０…ポータブル寝具。１０Ａ…ポータブルマットレス（寝具本体）、１０Ｂ…ポータブルピロー（寝具本体）、１０Ｃ…一部、１０Ｄ…残部、１２…第１の部分、１３…第２の部分、１４…第３の部分、１５…第４の部分、１６…折り曲げ部、１７…凹凸部、Ａ１…長手方向、Ａ２…幅方向、Ａ３…厚さ方向、Ｄ１…高さ方向、Ｄ２…厚さ方向、Ｄ３…幅方向。
【図１】
2019042364.tif 000003
【図２】
2019042364.tif 000004
【図３】
2019042364.tif 000005
【図４】
2019042364.tif 000006
【図５】
2019042364.tif 000007
【図６】
2019042364.tif 000008
【図７】
2019042364.tif 000009